(57)【要約】【課題】  効率的に放熱することができる回転装置及び該回転装置を搭載したディスク装置を提供すること。【解決手段】  ディスク装置１は、ディスク回転装置１０の軸部材４に貫通孔４ａが設けられており、モータ５が軸部材４の周りに設けられている。これにより、ディスクＤの回転により生じた気流を利用して、空気を流入口４ｂから貫通孔４ａ内に流入させ、流出口４ｃから流出させて流動させることができる。従って、筐体２内で効率的に空気を循環させて筐体２内を効率的に放熱することができる。また、軸部材４及びモータ５の熱を貫通孔４ａを介して効率的に放熱することができる。【選択図】  図１
2005235352.tif 000002
【特許請求の範囲】
【請求項１】
回転可能に設けられ、回転の軸方向に貫通する貫通孔を有し、回転することで前記貫通孔を介して気体を流動させることが可能な軸部材と、
前記軸部材を回転させる駆動部と
を具備することを特徴とする回転装置。
【請求項２】
請求項１に記載の回転装置において、
前記軸部材とほぼ同軸で一体に回転する羽根部材を更に具備することを特徴とする回転装置。
【請求項３】
請求項２に記載の回転装置において、
前記羽根部材は前記貫通孔内に設けられていることを特徴とする回転装置。
【請求項４】
請求項２に記載の回転装置において、
前記軸部材は、第１の端部と第２の端部とを有し、
前記羽根部材は、前記第１の端部及び前記第２の端部の少なくとも一方に設けられていることを特徴とする回転装置。
【請求項５】
請求項２に記載の回転装置において、
前記羽根部材は、前記軸方向全体に亘って螺旋状に設けられていることを特徴とする回転装置。
【請求項６】
筐体と、
前記筐体内でディスクを回転させるために該筐体内に収容され、回転の軸方向に貫通する貫通孔を有し、回転することで前記筐体内に含まれた気体を前記貫通孔を介して流動させることが可能な軸部材と、
前記軸部材を回転させる駆動部と
を具備することを特徴とするディスク装置。
【発明の詳細な説明】
【技術分野】
【０００１】
本発明は、回転装置及びこの回転装置を搭載したディスク装置に関する。
【背景技術】
【０００２】
例えば光ディスクや磁気ディスク等にデータを記録し、あるいは記録されたデータを再生可能なディスク装置等には、ディスクを回転させるためのモータや、基板に実装された電子部品等の発熱部品等が収容されている。このため、例えばディスクの読み取り等のためにモータが回転すると、ディスク装置内に熱がこもり昇温することがある。
【０００３】
このようなディスク装置内の昇温を防止するための技術として、例えば、特許文献１には、ケーシング内のメカシャーシに、空気の流動を自在にするための通風口を設ける技術が開示されている。メカシャーシは、ケーシング内を複数のスペースに仕切ると共に、メカシャーシの上面には例えば円盤状の記録媒体を回転させるためのモータが設けられている。これにより、円盤状の記録媒体を回転させて、ケーシング内で発生した風を通風口を介して循環させて放熱している（例えば、特許文献１参照。）。
【０００４】
別の技術として、特許文献２には、ディスク装置内の空気を循環させる羽根体を用いる技術が開示されている。この技術では、羽根体は、ディスクの回転軸となる軸部の上端部付近に設けられている。軸部の下部には、軸部を回転させるための駆動モータが設けられている。軸部には、ディスクを載置するためのターンテーブルが装着されている。これにより、駆動モータを駆動しターンテーブルに載置されたディスクと共に羽根体を回転させて、上記特許文献１の技術より多くの気流を発生させ、ディスク装置内の空気を循環させて放熱している（例えば、特許文献２参照。）。
【０００５】
別の技術として、特許文献３には、ＣＤ−ＲＯＭディスクを装着可能なターンテーブル等に、羽根部を有する送風用ディスクを装着して、装置内を放熱する技術が開示されている（例えば、特許文献３参照。）。
【特許文献１】特開２０００−２３１７８２号公報（段落[００１１]、図１）
【特許文献２】特開２００２−２３０９６２号公報（段落[００１０]、図２）
【特許文献３】特開２０００−１０６４９６号公報（段落[００１２]、図２）
【発明の開示】
【発明が解決しようとする課題】
【０００６】
しかしながら、特許文献１の技術では、メカシャーシに設けられた通風口を介して空気を循環させることはできるが、熱のこもり易い駆動モータの近傍では、駆動モータ、ディスク及びメカシャーシが空気の流れを遮断している。従って、ディスク装置内の隅々まで空気を十分に循環させて効率的に放熱することは難しい。
【０００７】
特許文献２の技術では、例えば、ディスクが羽根体の下方で回転するときに、羽根体の空気の吸い込みがないので、空気を容易に吸い込むことが困難である。従って、ディスク装置内の気流を、装置内の隅々まで十分に循環させることが難しく効率的に放熱することが困難である。
【０００８】
特許文献３の技術では、送風用ディスクをターンテーブル等に装着して放熱することはできるが、ＣＤ−ＲＯＭディスク装着時には、特許文献２と同様に羽根体の空気の吸い込みがないので、効率的に放熱することはできない。
【０００９】
以上のような事情に鑑み、本発明の目的は、効率的に放熱することができる回転装置及び該回転装置を搭載したディスク装置を提供することにある。
【課題を解決するための手段】
【００１０】
本発明に係る回転装置は、回転可能に設けられ、回転の軸方向に貫通する貫通孔を有し、回転することで前記貫通孔を介して気体を流動させることが可能な軸部材と、前記軸部材を回転させる駆動部とを具備する。
【００１１】
本発明では、例えば軸部材の端部にディスクを取り付け、駆動部を駆動することで、軸部材と共にディスクを回転させることができる。このとき、例えばディスクの回転により生じた気流を利用して貫通孔を介して気体を流動させることができる。従って、回転装置の近傍の気体を効率よく流動させることができる。例えば回転装置が筐体内に収容されている場合、筐体内で、当該筐体内の細部に亘って気体を循環させることができ、効率的に放熱することができる。また、軸部材及び例えば駆動部の一部または全部を構成するモータ等の熱を貫通孔を介して効率的に放熱することができる。
【００１２】
本発明の一の形態によれば、前記軸部材とほぼ同軸で一体に回転する羽根部材を更に具備する。このような構成によれば、駆動部を駆動することで、軸部材とほぼ同軸上で羽根部材を回転させることができるので、貫通孔内を介して気体を積極的かつ効率的に流動させて放熱することができる。また、軸部材と羽根部材とが一体に回転可能なので、この駆動部と別に羽根部材専用の駆動部を設ける必要がないので、回転装置の薄型化が容易となると共に低コスト化を図ることができる。
【００１３】
本発明の一の形態によれば、前記羽根部材は前記貫通孔内に設けられている。このため、軸部材の外部に羽根部材を設ける場合に比べて、回転装置の薄型化が容易となる。また、貫通孔内の空気を羽根部材により直接流動させることができる。従って、例えば軸部材及び駆動部近傍の熱を効率的に放熱することができる。また、羽根部材が貫通孔内で軸方向全体に亘って設けられるようにしてもよい。これにより、羽根部材の表面積を極力大きくすることができ、気体の流動量をより多くすることができる。
【００１４】
本発明の一の形態によれば、前記軸部材は、第１の端部と第２の端部とを有し、前記第１の端部及び前記第２の端部の少なくとも一方に前記羽根部材が設けられている。このため、軸部材の外部の空気を直接貫通孔内に吸い込むことができる。従って、より効率的に空気を流動させて放熱することができる。
【００１５】
本発明の一の形態によれば、前記羽根部材は、前記軸方向全体に亘って螺旋状に設けられている。これにより、羽根部材の表面積を極力大きくし、貫通孔内で空気の流れを形成し易くなるので、より効率的に放熱することができる。
【００１６】
本発明に係るディスク装置は、筐体と、前記筐体内でディスクを回転させるために該筐体内に収容され、回転の軸方向に貫通する貫通孔を有し、回転することで前記筐体内に含まれた気体を前記貫通孔を介して流動させることが可能な軸部材と、前記軸部材を回転させる駆動部とを具備する。
【００１７】
本発明では、例えば軸部材の端部にディスクを取り付け駆動部を駆動することで、軸部材と共にディスクを回転させることができる。このとき、例えばディスクの回転により生じた気流を利用して貫通孔を介して気体を流動させることができる。例えば回転装置が筐体内に収容されている場合、筐体内で、当該筐体内の細部に亘って気体を循環させることができ、効率的に放熱することができる。
【発明の効果】
【００１８】
以上のように、本発明によれば、軸部材の貫通孔を介して空気を流動させて効率的に放熱することができる。
【発明を実施するための最良の形態】
【００１９】
以下、本発明の実施形態を図面を参照しながら説明する。
【００２０】
図１は本発明の第１の実施形態に係るディスク装置を示す断面図である。
【００２１】
このディスク装置１は、例えば、レーザ光を用いてデータを記録または再生する光ディスク装置である。ディスク装置１は、ディスクＤを回転させるためのディスク回転装置１０が筐体２内に収容されて構成されている。筐体２内には、ディスク回転装置１０を支持するシャーシ３が設けられ、シャーシ３の下方には、筐体２との間に隙間７ｂが形成されるように、基板７が設けられている。これにより、隙間７ｂを介して筐体２内の空気が流動可能となっている。基板７には、例えばディスク回転装置１０の駆動を制御するための電子部品８等が実装されている。ディスク回転装置１０の駆動の制御とは、主にディスクＤへのデータの書き込みまたは読み出し等を行うために図示しない光ヘッドの駆動を制御したり、ディスクＤの回転を制御したりする動作のことである。これらの電子部品８は、例えばＩＣ（Integrated Circuit）チップ、抵抗、コンデンサ等であり、発熱体である。
【００２２】
筐体２内には、筐体２の上壁２ａとシャーシ３との間、シャーシ３と基板７との間、基板７と筐体２の底壁２ｂとの間に、それぞれ空気が流動可能なスペースＳ１、Ｓ２及びＳ３が形成されている。また、シャーシ３には通気口３ａが例えば複数形成されており、基板７にも通気口７ａが形成されている。
【００２３】
ディスク回転装置１０は、ディスクＤを回転させるときの軸部材４、モータ５を有している。またディスク回転装置１０は、上述したように、ディスクＤにアクセスしてデータを読み書きするための図示しない光ヘッド等を有する。軸部材４及びモータ５は軸受け１１を介して支持部材６によって支持され、支持部材６はシャーシ３に固定されている。モータ５は、例えば図示しないマグネットやヨーク等が備えられ軸受け１１に接続されたロータと、駆動電流が流れるコイルが備えられたステータとを有している。軸部材４は例えば円筒状に形成されており、その軸方向に貫通孔４ａが形成されている。これにより、下端部４Ｂの流入口４ｂから空気が流入し、上端部４Ａの流出口４ｃから空気が流出するようになっている。つまり、貫通孔４ａを介して筐体２内の空気が筐体２内で流動可能となっている。
【００２４】
具体的には、貫通孔４ａの流入口４ｂはスペースＳ２側に露出しており、流出口４ｃはスペースＳ１側に露出している。このため、貫通孔４ａを介してＳ１とＳ２とが連通し、空気がＳ１とＳ２との間で流動可能となっている。また、スペースＳ１、Ｓ２及びＳ３が、通気口３ａ、通気口７ａ、隙間７ｂ及び貫通孔４ａにより連通され、筐体２内で空気が矢印Ｃの方向に流動する。例えば通気口３ａ、通気口７ａ及び貫通孔４ａは、筐体２の内でディスク装置１の長手方向となるＸ方向に偏在しないように設けられている。
【００２５】
ディスクＤを安定して回転させるために、例えば軸部材４の上端部に図示を省略した嵌合溝を形成したり、軸部材４の上端部４Ａに円板状のステージを固定するようにしてもよい。また、流入口４ｂ、流出口４ｃが露出する例を示したが、例えば、粉塵対策用の金網を流入口４ｂや流出口４ｃに設けるようにしてもよい。
【００２６】
また、本実施形態では、通気口３ａ、通気口７ａの数がそれぞれ２個、１個の例を示したが通気口の数や位置はこれらに限定されない。例えば、発熱量の多い電子部品の近くに通気口を設けてもよいし、Ｘ方向で等間隔に通気口を設けてもよい。これにより、この電子部品の近くに効果的に気流を発生させることができる。
【００２７】
次に、本実施形態のディスク装置１の作用について説明する。
【００２８】
まず、モータ５を駆動し軸部材４と共にディスクＤを矢印Ａ方向に回転させる。これにより、ディスクＤの周りに気流が発生する。この流動する空気は例えばスペースＳ１内をＸ軸方向に流動し、シャーシ３に形成された通気口３ａを介してスペースＳ２内に流入する。スペースＳ２内に流入した空気は、隙間７ｂを介してスペースＳ３内に流入したり、スペースＳ２内をＸ軸方向に流動して流入口４ｂから貫通孔４ａ内に流入したりする。貫通孔４ａ内に流入した空気は、貫通孔４ａ内を上昇し、流出口４ｃから流出し、再びディスクＤの周りの気流に合流する。一方、スペースＳ３内の空気は、Ｘ方向に流動し通気口７ａを介してスペースＳ２内へ流入し、流入口４ｂから貫通孔４ａ内に流入する。以上のように、筐体２内に全体的に矢印Ｃ方向の気流が形成される。
【００２９】
本実施形態のディスク装置１では、ディスク回転装置１０の軸部材４に貫通孔４ａが設けられているため、ディスクＤの回転により生じた気流を利用して、空気を流入口４ｂから貫通孔４ａ内に流入させ、流出口４ｃから流出させて流動させることができる。これにより、モータ５の近傍で空気の流れが遮断されずに、筐体２内で空気を筐体２内の細部に亘って矢印Ｃ方向に循環させることができ、効率的に放熱することができる。また、軸部材４及びモータ５の熱も貫通孔４ａを介して効率的に放熱することができる。
【００３０】
本実施形態のディスク装置１では、シャーシ３に通気口３ａが複数形成されており、基板７に通気口７ａが形成されている。このため、筐体２内がシャーシ３や基板７等により仕切られていても、通気口３ａ、通気口７ａ、貫通孔４ａを介して筐体２内で空気を矢印Ｃ方向に循環させて筐体２内を放熱することができる。
【００３１】
図２は、本発明の第２の実施形態に係るディスク回転装置の平面図であり、図３はその断面図である。これ以降の実施形態において、上記第１の実施形態に係るディスク回転装置１０の部材や機能等について同様のものは説明を簡略または省略し、異なる点を中心に説明する。
【００３２】
本実施形態に係るディスク回転装置７０の軸部材７４は、貫通孔７４ａ内であって上端部７４Ａ及び下端部７４Ｂの少なくとも一方、例えば、下端部７４Ｂに羽根車９が設けられている。羽根車９は、回転軸９ａと、回転軸９ａに取り付けられた羽根９ｂとを有しており、例えば、羽根車９が軸部材７４と同軸で一体的に回転するようになっている。羽根９ｂは例えば軸流羽根で構成されている。羽根９ｂの周縁部は、軸部材７４の内周面に当接して軸部材４に固定されるようにしてもよいし、当該内周面に当接しなくてもよい。軸部材７４が当該内周面に当接していない場合は、少なくとも回転軸９ａが軸部材７４に固定されていればよい。
【００３３】
次に、本実施形態のディスク装置の作用について説明する。
【００３４】
まず、軸部材７４を矢印Ａ方向に回転させる。このとき、軸部材７４と羽根車９とは一体に回転可能に構成されているので、羽根車９も同時に回転する。これにより、スペースＳ２内の空気が流入口７４ｂから貫通孔７４ａ内に吸い込まれ、貫通孔７４ａ内を上昇し、流出口７４ｃから流出する。従って、ディスクＤが回転することにより、筐体２内に矢印Ｃ方向の気流が発生する。
【００３５】
本実施形態では、羽根車９が軸部材７４とほぼ同軸で一体に回転可能に設けられている。このため、例えばディスクＤの記録または再生時の軸部材７４の回転を利用して、羽根車９を回転させることができるので、貫通孔７４ａ内に空気を積極的に流動させて効率的に放熱することができる。また、このモータ５と別に羽根車９専用のモータ５を設ける必要がないので、ディスク回転装置７０及びディスク装置全体の薄型化が容易となると共に低コスト化を図ることができる。
【００３６】
本実施形態では、羽根車９は貫通孔７４ａ内に設けられている。このため、軸部材７４の外部に羽根車９を設ける場合に比べて、ディスク回転装置７０及びディスク装置全体の薄型化が容易となる。また、貫通孔７４ａ内の空気を羽根車９により直接流動させることができるので、例えば軸部材７４及びモータ５の近傍の熱を効率的に放熱することができる。
【００３７】
本実施形態では、羽根車９が、上端部７４Ａ及び下端部７４Ｂの少なくとも一方、例えば下端部７４Ｂの流入口７４ｂに設けられているため、流入口７４ｂ付近の空気を貫通孔７４ａ内に効率的に吸い込むことができる。従って、より効率的に空気を貫通孔７４ａ内に流動させて放熱することができる。
【００３８】
図４は、本発明の第３の実施形態に係るディスク回転装置を示す断面図である。本実施形態に係るディスク回転装置５０では、羽根車１９が軸部材１４の例えば上端部１４Ａに設けられる構成を示している。このような構成によっても上記第２の実施形態に係るディスク回転装置と同様の作用効果を得ることができる。
【００３９】
図５は本発明の第４の実施形態に係るディスク回転装置を示す平面図であり、図６はその断面図である。
【００４０】
本実施形態のディスク装置２０では、軸部材２４の貫通孔２４ａ内の内周面に羽根２９が複数固定されている。羽根２９は例えば軸流羽根で構成されるが、上記第２及び第３の実施形態に係る羽根車９等に示す回転軸９ａは設けられていない。本実施形態によっても、上記第２及び第３の実施形態と同様な作用効果を得ることができる。さらに、回転軸９ａが設けられていないため、ディスク装置の軽量化及び低コスト化を図ることができる。
【００４１】
図７は本発明の第５の実施形態に係るディスク回転装置を示す断面図である。本実施形態のディスク回転装置３０では、軸部材３４の軸方向全体に亘って羽根６９が設けられている。羽根６９は回転軸３４ｄの周りに設けられている。このような構成によっても上記各実施形態に係るディスク装置と同様な作用効果を得ることができる。また、羽根６９は上記各実施形態に係る羽根よりもその面積が大きい分、貫通孔３４ａ内、ひいては筐体２内の空気の流動量を多くすることができる。ここで言う流動量とは、例えば単位時間あたりの空気の移動量である。
【００４２】
図８は本発明の第６の実施形態に係るディスク回転装置を示す断面図である。上記第５の実施形態では、回転軸３４ｄが設けられる構成としたが、図８に示すように、回転軸３４ｄがないディスク回転装置４０であってもかまわない。
【００４３】
図９は本発明の第７の実施形態に係るディスク回転装置を示す平面図であり、図１０はその断面図である。本実施形態のディスク回転装置４０の軸部材４４に形成された貫通孔４４ａ内には、その軸方向全体に亘って螺旋状の羽根４９が設けられている。このような構成によっても上記各実施形態に係るディスク装置と同様な作用効果を得ることができるほか、貫通孔４４ａ内で気流が形成され易くなり、放熱効率を向上させることができる。また、羽根４９は上記第５の実施形態に係る羽根６９よりさらにその面積が大きいため、より空気の流動量を多くすることができる。
【００４４】
本発明は以上説明した実施形態には限定されるものではなく、種々の変形が可能である。
【００４５】
上記第２〜第７の実施形態では、例えば羽根車９等を軸部材７４に直接固定する例を示した。しかし、羽根車９を軸部材７４に直接固定せずに軸部材７４の上方や下方に設け、この羽根車９をモータ５とは別のモータにより回転させるようにしてもよい。このようにしても、筐体２内の空気を矢印Ｃ方向に循環させて放熱を促進させることができる。
【００４６】
上記第２〜第７の実施形態では、軸部材７４等の下端部の開口が空気の流入口７４ｂとなるように、羽根車９が設けられる例を示した。しかし、羽根車９については、これに限定されず、例えば軸部材７４の下端部の開口が流出口となるように羽根車９の向きを逆向きにして設けるようにしてもよい。
【００４７】
上記実施形態では、貫通孔の直径、羽根車の羽根の長さ、枚数等は特に限定されず適宜変更可能である。
【００４８】
上記実施形態では、横置き型のディスク装置を例示したが、縦置き型のディスク装置やディスク回転装置を有するパーソナルコンピュータ等に適用可能であることは云うまでもない。
【００４９】
上記各実施形態では、ディスク装置として光ディスク装置を例に挙げた。しかし、磁気を用いてデータを記録または再生する磁気ディスク装置、または、光と磁気とを用いてデータを記録または再生する光磁気ディスク装置でもよい。
【図面の簡単な説明】
【００５０】
【図１】本発明の第１の実施形態に係るディスク装置を示す断面図である。
【図２】本発明の第２の実施形態に係るディスク回転装置の平面図である。
【図３】図２に示すディスク回転装置を示す断面図である。
【図４】本発明の第３の実施形態に係るディスク回転装置を示す断面図である。
【図５】本発明の第４の実施形態に係るディスク回転装置を示す平面図である。
【図６】図５に示すディスク回転装置を示す断面図である。
【図７】本発明の第５の実施形態に係るディスク回転装置を示す断面図である。
【図８】本発明の第６の実施形態に係るディスク回転装置を示す断面図である。
【図９】本発明の第７の実施形態に係るディスク回転装置を示す平面図である。
【図１０】図８に示すディスク回転装置を示す断面図である。
【符号の説明】
【００５１】
Ｄ…ディスク
１…ディスク装置
２…筐体
４、１４、２４、３４、４４、５４、７４…軸部材
４ａ、１４ａ、２４ａ、３４ａ、４４ａ、７４ａ…貫通孔
５…モータ
９ｂ、２９、４９、６９、５９…羽根
１０、２０、３０、４０、５０、７０、８０…ディスク回転装置
【図１】
2005235352.tif 000003
【図２】
2005235352.tif 000004
【図３】
2005235352.tif 000005
【図４】
2005235352.tif 000006
【図５】
2005235352.tif 000007
【図６】
2005235352.tif 000008
【図７】
2005235352.tif 000009
【図８】
2005235352.tif 000010
【図９】
2005235352.tif 000011
【図１０】
2005235352.tif 000012